(57)【要約】【課題】電子ペーパ端末に記憶されている画像データおよび画像について不正な２次複写を抑制する。【解決手段】複合機１００の制御部１５０は、原稿載置台９２に載置されている電子ペーパ端末Ｅの表示画像の画像データについて、他の媒体への複写を目的とした画像データ読出処理を禁止することを示す読出禁止情報が電子ペーパ端末Ｅに記憶されているか否かを判定する。そして、制御部１５０は、電子ペーパ端末Ｅの表示画像の画像データについて前記読出禁止情報が前記携帯型表示媒体に記憶されている場合、光学読取部１９１に光学的読取処理の実行を禁止する。【選択図】図５
2012147096.tif 000002
【特許請求の範囲】
【請求項１】
原稿載置台と、前記原稿載置台上にて静止されている原稿の画像を光学的に読み取って当該原稿の画像の画像データを生成する光学的読取処理を実行する光学読取部とを備えた複合機において、
画像データを記憶すると共に当該画像データの画像を表示する携帯型表示媒体が前記原稿載置台に載置されると、当該携帯型表示媒体にアクセスする制御部を備え、
前記制御部は、
前記原稿載置台に載置されている前記携帯型表示媒体に表示されている画像の画像データについて、他の媒体への複写を目的とした画像データ読出処理を禁止することを示す読出禁止情報が前記携帯型表示媒体に記憶されているか否かを判定する判定部と、
前記携帯型表示媒体に表示されている画像の画像データについて前記読出禁止情報が前記携帯型表示媒体に記憶されていると前記判定部に判定された場合、前記光学読取部に前記光学的読取処理の実行を禁止する読取制御部とを含むことを特徴とする複合機。
【請求項２】
前記原稿載置台に載置されている携帯型表示媒体と無線通信を行うことの可能な通信部を備え、
前記制御部は、前記通信部を介して前記携帯型表示媒体にアクセスすることを特徴とする請求項１に記載の複合機。
【請求項３】
前記光学的読取処理において、前記原稿の画像を走査するために副走査方向に移動する移動部材を備え、
前記通信部は前記移動部材に取り付けられていることを特徴とする請求項２に記載の複合機。
【請求項４】
表示部と、
前記携帯型表示媒体に表示されている画像の画像データについて前記読出禁止情報が前記携帯型表示媒体に記憶されていると前記判定部にて判定された場合、画像データ読出処理が禁止されていることを示すエラーメッセージを表示部に表示させる表示制御部とを備えることを特徴とする請求項１から３のいずれか１項に記載の複合機。
【請求項５】
複数頁からなる画像の画像データが前記携帯型表示媒体に記憶されており、前記複数頁のうち、一部の頁の画像が前記携帯型表示媒体に表示されている場合、
前記判定部は、前記携帯型表示媒体に表示されている頁の画像の画像データについて、前記禁止情報が前記携帯型表示媒体に記憶されているか否かを判定し、
前記読取制御部は、前記携帯型表示媒体に表示されている頁の画像の画像データについて前記禁止情報が前記携帯型表示媒体に記憶されていると前記判定部に判定されると、前記光学読取部に前記光学的読取処理の実行を禁止するようになっていることを特徴とする請求項１から４のいずれか１項に記載の複合機。
【請求項６】
利用者からの指示に応じて、前記光学的読取処理と前記光学的読取処理にて生成された画像データの画像をシートに印刷する印刷処理とからなる複写モード、および、前記光学的読取処理と前記光学的読取処理にて生成された画像データを記憶または送信する処理とからなるスキャンモードのうちのいずれかのモードを選択して実行するようになっており、
前記読取制御部は、前記携帯型表示媒体に表示されている画像の画像データについて前記読出禁止情報が前記携帯型表示媒体に記憶されていると前記判定部に判定された場合、前記複写モードの光学的読取処理および前記スキャンモードの光学的読取処理のいずれも禁止することを特徴とする請求項１から５のいずれか１項に記載の複合機。
【請求項７】
原稿載置台と、前記原稿載置台上にて静止されている原稿の画像を光学的に読み取って当該原稿の画像の画像データを生成する光学的読取処理を実行する光学読取部とを備えた画像読取装置において、
画像データを記憶すると共に当該画像データの画像を表示する携帯型表示媒体が前記原稿載置台に載置されると、当該携帯型表示媒体にアクセスする制御部を備え、
前記制御部は、
前記原稿載置台に載置されている前記携帯型表示媒体に表示されている画像の画像データについて、他の媒体への複写を目的とした画像データ読出処理を禁止することを示す読出禁止情報が前記携帯型表示媒体に記憶されているか否かを判定する判定部と、
前記携帯型表示媒体に表示されている画像の画像データについて前記読出禁止情報が前記携帯型表示媒体に記憶されていると前記判定部に判定された場合、前記光学読取部に前記光学的読取処理の実行を禁止する読取制御部とを含むことを特徴とする画像読取装置。
【発明の詳細な説明】
【技術分野】
【０００１】
本発明は、撮像素子によって光学的に画像を読み取る複合機および画像読取装置に関する。
【背景技術】
【０００２】
画像データを記憶すると共に当該画像データの画像を表示する電子ペーパ等の携帯型表示媒体が従来から知られている。
【０００３】
この携帯型表示媒体に記憶されている画像データを他の媒体へ複写する場合、携帯型表示媒体から画像データがデータ通信にて読み出され、読み出された画像データが前記の他の媒体へ記録されるようになっている。また、携帯型表示媒体に記憶されている画像データの画像を用紙へ印刷する場合、携帯型表示媒体から画像データがデータ通信にて読み出され、読み出された画像データが用紙へ印刷されるようになっている。
【先行技術文献】
【特許文献】
【０００４】
【特許文献１】特開２００８−１２４７２２号公報
【特許文献２】特開２００６−２５４２２４号公報
【発明の概要】
【発明が解決しようとする課題】
【０００５】
携帯型表示媒体から他の媒体への画像データの複写や、携帯型表示媒体の画像データの画像を用紙へ印刷する処理を２次複写と称す場合、不正な２次複写を禁止する必要のある画像データが携帯型表示媒体に記録される事がある。
【０００６】
これに対し、２次複写禁止の対象となる画像データについて、２次複写を目的とした画像データ読出処理を禁止する事を示す読出禁止情報を携帯型表示媒体に記録しておけば、２次複写禁止の対象となる画像データが２次複写のために読み出されることがなく、データ通信による画像データの読出処理を介した２次複写を禁止できる。
【０００７】
しかし、特許文献２に示されるように、原稿台に載置されている携帯型表示媒体の表示画像を撮像素子（ラインセンサ等）にてスキャンして画像データを生成する複合機が従来から知られている。したがって、２次複写禁止の対象となる画像データについて前記読出禁止情報が携帯型表示媒体に記録されていても、２次複写禁止の対象となる画像データの画像を携帯型表示媒体に表示させ、携帯型表示媒体に表示されている画像を撮像素子にて光学的に読み取ることで、不正な２次複写が可能になるという問題が生じていた。
【０００８】
本発明は、前記問題に鑑みてなされたものであり、携帯型表示媒体に記憶されている画像データおよび画像について不正な２次複写を抑制することを目的とする。
【課題を解決するための手段】
【０００９】
本発明は、前記の目的を達成するために、原稿載置台と、前記原稿載置台上にて静止されている原稿の画像を光学的に読み取って当該原稿の画像の画像データを生成する光学的読取処理を実行する光学読取部とを備えた複合機において、画像データを記憶すると共に当該画像データの画像を表示する携帯型表示媒体が前記原稿載置台に載置されると、当該携帯型表示媒体にアクセスする制御部を備え、前記制御部は、前記原稿載置台に載置されている前記携帯型表示媒体に表示されている画像の画像データについて、他の媒体への複写を目的とした画像データ読出処理を禁止することを示す読出禁止情報が前記携帯型表示媒体に記憶されているか否かを判定する判定部と、前記携帯型表示媒体に表示されている画像の画像データについて前記読出禁止情報が前記携帯型表示媒体に記憶されていると前記判定部に判定された場合、前記光学読取部に前記光学的読取処理の実行を禁止する読取制御部とを含むことを特徴とする。本発明の構成によれば、２次複写を目的とした画像データ読出処理が禁止されている画像データの画像については、光学的読取処理の禁止設定の有無にかかわらず光学的読取処理も禁止されるので、不正な２次複写を抑制することが可能になる。
【００１０】
また、本発明の複合機は、前記構成に加えて、前記原稿載置台に載置されている携帯型表示媒体と無線通信を行うことの可能な通信部を備え、前記制御部は、前記通信部を介して前記携帯型表示媒体にアクセスするようになっている。これにより、複合機の制御部は、原稿載置台に載置されている携帯型表示媒体にアクセスすることが可能になるので、原稿載置台に載置されている携帯型表示媒体に表示されている画像に対する読出禁止情報が携帯型表示媒体に記憶されているか否かを判定することが可能になる。
【００１１】
さらに、本発明の複合機は、前記構成に加えて、前記光学的読取処理において、前記原稿の画像を走査するために副走査方向に移動する移動部材を備え、前記通信部は前記移動部材に取り付けられていることを特徴としている。これにより、通信部を移動させることが可能になるので、通信部の位置が固定されているケースよりも、通信距離の短い通信装置を通信部として用いることが可能になる。
【００１２】
また、本発明の複合機は、前記構成に加えて、表示部と、前記携帯型表示媒体に表示されている画像の画像データについて前記読出禁止情報が前記携帯型表示媒体に記憶されていると前記判定部に判定された場合、画像データ読出処理が禁止されていることを示すエラーメッセージを表示部に表示させる表示制御部とを備えることを特徴とする。これにより、利用者は、複合機の故障ではなく、画像データ読出処理が禁止されていることを知ることができる。
【００１３】
さらに、本発明の複合機は、前記構成に加えて、複数頁からなる画像の画像データが前記携帯型表示媒体に記憶されており、前記複数頁のうち、一部の頁の画像が前記携帯型表示媒体に表示されている場合、前記判定部は、前記携帯型表示媒体に表示されている頁の画像の画像データについて、前記禁止情報が前記携帯型表示媒体に記憶されているか否かを判定し、前記読取制御部は、前記携帯型表示媒体に表示されている頁の画像の画像データについて前記禁止情報が前記携帯型表示媒体に記憶されていると前記判定部に判定されると、前記光学読取部に前記光学的読取処理の実行を禁止するようになっていてもよい。
【００１４】
また、本発明の複合機は、前記構成に加えて、利用者からの指示に応じて、前記光学的読取処理と前記光学的読取処理にて生成された画像データの画像をシートに印刷する印刷処理とからなる複写モード、および、前記光学的読取処理と前記光学的読取処理処理にて生成された画像データを記憶または送信する処理とからなるスキャンモードのうちのいずれかのモードを選択して実行するようになっており、前記読取制御部は、前記携帯型表示媒体に表示されている画像の画像データについて前記読出禁止情報が前記携帯型表示媒体に記憶されていると前記判定部に判定された場合、前記複写モードの光学的読取処理および前記スキャンモードの光学的読取処理のいずれも禁止するようになっていてもよい。
【００１５】
さらに、本発明は、前記の目的を達成するために、原稿載置台と、前記原稿載置台上にて静止されている原稿の画像を光学的に読み取って当該原稿の画像の画像データを生成する光学的読取処理を実行する光学読取部とを備えた画像読取装置において、画像データを記憶すると共に当該画像データの画像を表示する携帯型表示媒体が前記原稿載置台に載置されると、当該携帯型表示媒体にアクセスする制御部を備え、前記制御部は、前記原稿載置台に載置されている前記携帯型表示媒体に表示されている画像の画像データについて、他の媒体への複写を目的とした画像データ読出処理を禁止することを示す読出禁止情報が前記携帯型表示媒体に記憶されているか否かを判定する判定部と、前記携帯型表示媒体に表示されている画像の画像データについて前記読出禁止情報が前記携帯型表示媒体に記憶されていると前記判定部に判定された場合、前記光学読取部に前記光学的読取処理の実行を禁止する読取制御部とを含むことを特徴とする。本発明の構成によれば、２次複写を目的とした画像データ読出処理が禁止されている画像データの画像については、光学的読取処理の禁止設定の有無にかかわらず光学的読取処理も禁止されるので、不正な２次複写を抑制することが可能になる。
【発明の効果】
【００１６】
以上のように、本発明によれば、２次複写を目的とした画像データ読出処理が禁止されている画像データの画像については、光学的読取処理の禁止設定の有無にかかわらず光学的読取処理も禁止されるので、不正な２次複写を抑制することが可能になる。
【図面の簡単な説明】
【００１７】
【図１】本実施形態の複合機の内部構造を模式的に示す図である。
【図２】本実施形態の複合機に備えられるスキャナの内部構造を模式的に示す図である。
【図３】本実施形態の複合機に取り付けられている手差トレイを模式的に示す図である。
【図４】本実施形態にて用いられる電子ペーパ端末の概略構成を示すブロック図である。
【図５】本実施形態の複合機の概略構成を示すブロック図である。
【図６】本実施形態のスキャナに取り付けられている第１走査ユニットおよび第３通信装置を模式的に示す図である。
【図７】第１通信装置による画像データの読出処理の手順を示したフローチャートである。
【図８】第２通信装置による画像データの記録処理の手順を示したフローチャートである。
【図９】本実施形態の静止原稿読取モードの処理の流れを示すフローチャートである。
【発明を実施するための形態】
【００１８】
本発明の実施の一形態について図に基づいて説明すれば、以下の通りである。図１は、本実施形態の複合機の構成例を示す図である。複合機（画像読取装置）１００は、原稿の画像を光学的に読み取るスキャナ９０と、用紙に対して画像を印刷する画像形成装置１１０とを有している。
【００１９】
（スキャナについて）
本実施形態のスキャナ９０は、原稿載置台９２上にて載置（静止）されている原稿の画像を光学的に読み取る静止原稿読取モード、および、原稿載置台９２上にて原稿を搬送させながら当該原稿の画像を光学的に読み取る搬送原稿読取モードを実行可能な装置である。スキャナ９０は、図２に示すように、透明ガラスからなる原稿載置台９２と、原稿載置台９２の上側に配される原稿自動搬送装置（原稿台カバー）１２０と、原稿載置台９２の下側に配されており撮像素子によって原稿の画像を光学的に読み取る光学読取部１９１とを有している。
【００２０】
光学読取部１９１は、図２に示すように、第１走査ユニット１１２、第２走査ユニット１１３、ラインセンサ１１４を備えている。
【００２１】
第１走査ユニット１１２は、原稿を露光する光源（露光ランプ）と、原稿からの反射光を第２走査ユニット１１３に導く第１反射ミラーと、を有するユニットである。具体的に、静止原稿読取モードの場合、第１走査ユニット１１２は、副走査方向に沿って一定速度Ｖで移動しながら、原稿載置台９２に載置されている原稿を露光し、原稿からの反射光を第２走査ユニット１１３へ導く。これに対し、搬送原稿読取モードの場合、第１走査ユニット１１２は、図２に示される所定位置Ｐの下側にて静止しながら、所定位置Ｐを通過する原稿を露光し、この原稿からの反射光を第２走査ユニット１１３へ導くようになっている。
【００２２】
第２走査ユニット１１３は、第１走査ユニット１１２からの光をラインセンサ１１４へ導く第２反射ミラーおよび第３反射ミラーを有している。具体的に、第２走査ユニット１１３は、静止原稿読取モードの場合、Ｖ／２の速度で第１走査ユニット１１２に追随しながら、第１走査ユニット１１２からの光をラインセンサ１１４へ導くようになっている。これに対し、第２走査ユニット１１３は、搬送原稿読取モードの場合、静止した状態で第１走査ユニット１１２からの光をラインセンサ１１４へ導くようになっている。
【００２３】
ラインセンサ１１４は、原稿の反射光を第２走査ユニット１１３から受光することによって原稿の画像を光学的に読み取るようになっている。具体的に、ラインセンサ１１４は、例えばＣＣＤ（Charge Coupled Device）等の撮像素子からなる。そして、当該撮像素子が、原稿からの光をアナログ形式の画像データ（電気信号）に変換するようになっている。すなわち、この画像データが原稿の画像を示すデータである。
【００２４】
つぎに、原稿自動搬送装置１２０について説明する。原稿自動搬送装置１２０は、原稿搬送経路２３、原稿トレイ２１、第１排紙トレイ２２、中間トレイ３３を有している。また、原稿自動搬送装置１２０には、原稿搬送経路２３に沿って原稿トレイ２１側（原稿搬送方向上流側）から順に、ピックアップローラ２４、捌きローラ２５、レジストローラ対２７、搬送ローラ対２８、排紙ローラ対２９が設けられている。なお、前記の所定位置Ｐは、原稿搬送経路２３において、レジストローラ対２７よりも用紙搬送方向下流側であって、搬送ローラ対２８よりも上流側に配置される。
【００２５】
また、排紙ローラ対２９よりも原稿搬送方向の下流側には、排紙ローラ対２９から排出される原稿を、中間トレイ３３または第１排紙トレイ２２のいずれかに選択的に案内するための切換えゲート３４が設置されている。
【００２６】
つぎに、搬送原稿読取モードの動作を説明する。まず、原稿の片面のみ読み取られる場合について説明する。最初に、利用者が原稿トレイ２１に原稿を載置する。複合機１００は、原稿トレイ２１に原稿が載置されている事を原稿センサ（不図示）によって検知するようになっている。そして、原稿トレイ２１に原稿が載置されていることが複合機１００に検知されている状態で利用者がスタートキーを押すと、複合機１００は搬送原稿読取モードを開始するようになっている。具体的に、原稿トレイ２１の原稿は、ピックアップローラ２４および捌きローラ２５によって原稿搬送経路２３に送り出され、その後、レジストローラ対２７によって所定位置Ｐに搬送される。さらに、所定位置Ｐにおいて、原稿は、原稿載置台９２に当接しながら搬送され、光学読取部１９１によって撮像される。所定位置Ｐを通過した原稿は、搬送ローラ対２８によって搬送され、排紙ローラ対２９および切換えゲート３４によって第１排紙トレイ２２に排出される（この場合、切換えゲート３４は上向き（点線）である）。なお、両面が読み取られる場合、以上のようにして片面の撮像を終えた後の原稿が、排紙ローラ対２９、および、切換えゲート３４によって、中間トレイ３３側に送り出されるようになっている（この場合、切換えゲート３４は下向き（実線）である）。但し、この場合、排紙ローラ対２９は原稿を完全に排出せず、原稿をニップしたまま反転し、原稿を反転搬送経路３５へ送り出す。こうして反転搬送経路３５に送り出された原稿は、再び原稿搬送経路２３から所定位置Ｐへ送られ、裏面の撮像が行われる。裏面の撮像が終了した後の原稿は、排紙ローラ対２９によって第１排紙トレイ２２に排出されることになる。
【００２７】
つぎに、静止原稿読取モードの動作を説明する。最初に、利用者は、原稿台カバーとしても機能する原稿自動搬送装置１２０を動かして原稿載置台９２を開放し、原稿載置台９２に原稿を載置し、その後、原稿自動搬送装置１２０にて原稿載置台９２を覆う。複合機１００は、原稿載置台９２に原稿が載置されている事を原稿センサ（不図示）によって検知するようになっている。そして、原稿載置台９２に原稿が載置されていることが複合機１００に検知されている状態で利用者がスタートキーを押すと、複合機１００は原稿の画像の読取を開始するようになっている。具体的に、第１走査ユニット１１２および第２走査ユニット１１３が、副走査方向に沿って移動することで、原稿載置台９２にて静止している原稿の全領域からの反射光をラインセンサ１１４に導くようになっている。これにより、原稿台ガラス９２にて静止している原稿の全面がラインセンサ１１４によって撮像される。
【００２８】
以上にて示した搬送原稿読取モードまたは静止原稿読取モードにおいて、ラインセンサ１１４によって得られた画像データは、Ａ/Ｄコンバータ（不図示）によってアナログ形式のデータからデジタル形式のデータに変換され、複合機１００の記憶装置１９５（図５参照）に保存されるようになっている。
【００２９】
（画像形成装置について）
つぎに、画像形成装置について図１に基づいて説明する。画像形成装置（印刷装置）１１０は、電子写真方式のカラープリンタであって、ＬＡＮ（Local Area Network）やＵＳＢ（Universal Serial Bus）等にて接続されている外部装置から送られてくる画像データに基づく画像を用紙へ印刷するプリントモードと、スキャナ９０にて生成された画像データの画像を用紙へ印刷する複写モードとを実行可能な装置である。
【００３０】
画像形成装置１１０において扱われる画像データは、ブラック（Ｋ）、シアン（Ｃ）、マゼンタ（Ｍ）、イエロー（Ｙ）の各色を用いたカラー画像に応じたものである。したがって、各色に応じた４種類の潜像が形成されるように、現像器２、感光体ドラム３、帯電器５、クリーナユニット４からなる画像形成ステーションが４個設置されている。つまり、画像形成装置１１０には、ブラック画像用の画像形成ステーションと、シアン画像用の画像形成ステーションと、イエロー画像用の画像形成ステーションと、マゼンタ画像用の画像形成ステーションとが設けられている。
【００３１】
帯電器（帯電手段）５は、感光体ドラム３の表面を所定の電位に均一に帯電させるための帯電ローラである。なお、帯電器５としては、図１に示すようなローラ型の他、ブラシ型が用いられてもよい。また、ローラ型やブラシ型のような接触方式の帯電器ではなく、非接触方式の帯電器が用いられてもよい。
【００３２】
露光ユニット１は、レーザ出射部（レーザ光源）と、レーザ出射部から放たれたレーザビームを走査するポリゴンミラーと、ポリゴンミラーによって走査されたレーザビームを感光体ドラム３に導くレンズおよび反射ミラー（光学部材）とを備えるレーザスキャニングユニット（ＬＳＵ）である。なお、発光素子をアレイ状に並べたＥＬやＬＥＤ書込みヘッドを露光ユニットとして設置してもよい。
【００３３】
露光ユニット１は、帯電された感光体ドラム３を、入力された画像データに応じて露光することにより、その表面に、画像データに応じた静電潜像を形成するための装置である。現像器２は、感光体ドラム３上に形成された静電潜像を現像器２内のトナーによって現像（顕像化）するものである。なお、ブラック画像用の画像形成ステーションの現像器２ではブラックトナーによって現像が行われ、シアン画像用の画像形成ステーションの現像器２ではシアントナーによって現像が行われ、イエロー画像用の画像形成ステーションの現像器２ではイエロートナーによって現像が行われ、マゼンタ画像用の画像形成ステーションの現像器２ではマゼンタトナーによって現像が行われる。
【００３４】
クリーナユニット４は、現像・画像転写後における感光体ドラム３上の表面に残留したトナーを除去・回収するものである。
【００３５】
感光体ドラム３の上方に配置されている中間転写ベルトユニット６は、中間転写ベルト６１、中間転写ベルト駆動ローラ６２、中間転写ベルト従動ローラ６３、中間転写ローラ６４、および中間転写ベルトクリーニングユニット６５を備えている。中間転写ローラ６４はＹＭＣＫ用の各色に対応して４本設けられている。
【００３６】
中間転写ベルト駆動ローラ６２、中間転写ベルト従動ローラ６３、および中間転写ローラ６４は、中間転写ベルト６１を張架して回転駆動させる。また、各中間転写ローラ６４は、感光体ドラム３のトナー像を中間転写ベルト６１上に転写するための転写バイアスを発生する。
【００３７】
中間転写ベルト６１は、各感光体ドラム３に接触するように設けられている。そして、感光体ドラム３に形成された各色のトナー像が中間転写ベルト６１に順次的に重ねて転写されることによって、中間転写ベルト６１上にカラーのトナー像（多色トナー像）が形成されるようになっている。中間転写ベルト６１は、例えば厚さ１００μｍ〜１５０μｍ程度のフィルムを用いて無端状に形成されている。
【００３８】
感光体ドラム３から中間転写ベルト６１へのトナー像の転写は、中間転写ベルト６１の裏側に接触している中間転写ローラ６４によって行われる。中間転写ローラ６４は、トナー像を転写するために高電圧の転写バイアス（トナーの帯電極性（−）とは逆極性（＋）の高電圧）を発生する。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では、中間転写ベルト６１に電圧を印加する手段として中間転写ローラ６４を用いているが、それ以外に導電性ブラシなども用いることが可能である。
【００３９】
上述のように、各感光体ドラム３上で各色に応じて顕像化されたトナー像は中間転写ベルト６１にて積層される。積層されたトナー像は、中間転写ベルト６１の回転によって、転写ローラ１０と中間転写ベルト６１との接触位置（２次転写位置）に搬送され、この接触位置において転写ローラ１０によって用紙上に転写される。
【００４０】
転写ローラ１０は、中間転写ベルト６１に対して所定ニップで圧接されると共に、トナーを用紙に転写させるためのバイアスを発生する（トナーの帯電極性（−）とは逆極性（＋）の高電圧）。さらに、上記所定ニップを定常的に得るために、転写ローラ１０もしくは中間転写ベルト駆動ローラ６２の何れか一方を硬質材料（金属）からなるローラとし、他方を軟質材料からなるローラ（弾性ゴムローラまたは発泡性樹脂ローラ）とする。
【００４１】
また、用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触するクリーニング部材としてクリーニングブレードが備えられており、中間転写ベルト６１におけるクリーニングブレードが接触する部分は、裏側から中間転写ベルト従動ローラ６３で支持されている。
【００４２】
給紙トレイ（給紙カセット）８１は、画像形成（印刷）に使用する用紙を載置するトレイであり、画像形成装置１１０において露光ユニット１の下側に設けられている。また、利用者は、手差トレイ８２にも画像形成（印刷）に使用する用紙を載置することが可能になっている。画像形成装置１１０の上方に設けられている第２排紙トレイ９１は、印刷済みの用紙をフェイスダウンで集積するためのトレイである。
【００４３】
また、画像形成装置１１０には、給紙トレイ８１および手差トレイ８２の用紙を、転写ローラ１０や定着ユニット７を経由させて第２排紙トレイ９１に送るための、略垂直形状のシート搬送路（用紙搬送路）Ｓが設けられている。給紙トレイ８１または手差トレイ８２から第２排紙トレイ９１までのシート搬送路Ｓの近傍には、ピックアップローラ１１ａ，１１ｂ、複数の搬送ローラ１２ａ〜１２ｄ，レジストローラ１３、転写ローラ１０、定着ユニット７が配されている。
【００４４】
搬送ローラ１２ａ〜１２ｄは、用紙の搬送を促進・補助するための小型のローラであり、シート搬送路Ｓに沿って複数設けられている。ピックアップローラ１１ａは、給紙トレイ８１の端部近傍に取り付けられ、給紙トレイ８１に載置されている用紙をピックアップしてシート搬送路Ｓに供給する。ピックアップローラ１１ｂは、手差トレイ８２の端部近傍に取り付けられ、手差トレイ８２に載置されている用紙をピックアップしてシート搬送路Ｓに供給する。また、レジストローラ１３は、シート搬送路Ｓに搬送されている用紙を一旦保持するものである。そして、レジストローラ１３は、中間転写ベルト６１に形成されているトナー像の先端と用紙の先端とが合わさるようなタイミングで、用紙を２次転写位置に搬送する機能を有している。
【００４５】
定着ユニット７は、ヒートローラ７１および加圧ローラ７２を備えている。ヒートローラ７１および加圧ローラ７２は、用紙を挟んで回転するようになっている。またヒートローラ７１は、図示しない温度検出器からの信号に基づいて制御部１５０（後述する）によって所定の定着温度となるように設定されており、加圧ローラ７２とともにトナーを用紙に熱圧着することにより、用紙に転写された多色トナー像を溶融・混合・圧接し、用紙に対して熱定着させる機能を有している。また、定着ユニット７には、ヒートローラ７１を外部から加熱するための外部加熱ベルト７３が設けられている。
【００４６】
つぎに、片面印字時の用紙搬送について詳細に説明する。上述のように、画像形成装置１１０には、予め用紙を収納する給紙トレイ８１、手差トレイ８２が設けられている。これら給紙トレイ８１、手差トレイ８２から用紙を給紙するために、各々ピックアップローラ１１ａ，１１ｂが配置され、用紙をシート搬送路Ｓに導くようになっている。給紙トレイ８１，手差トレイ８２から搬送される用紙は、シート搬送路Ｓの搬送ローラ１２ａによってレジストローラ１３まで搬送され、用紙の先端と中間転写ベルト６１上のトナー像の先端とが合わさるタイミングで２次転写位置に搬送される。２次転写位置において、中間転写ベルト６１から用紙へトナー像が転写される。その後、用紙が定着ユニット７を通過することによって用紙上の未定着トナーが熱で溶融・固着される。定着処理の行われた後の用紙は、定着ユニット７よりも用紙搬送方向の下流側に設置される搬送ローラ１２ｂによって第２排紙トレイ９１上に排出される。
【００４７】
両面印字時の場合、上記のように片面印字が終了し定着ユニット７を通過した用紙の後端が搬送ローラ１２ｂに把持されたときに、搬送ローラ１２ｂが逆回転することによって用紙を搬送ローラ１２ｃ，１２ｄの設置位置に導く。用紙は、搬送ローラ１２ｃ，１２ｄによってレジストローラ１３の設置位置に搬送され、その後、２次転写位置にて用紙裏面に画像の印刷が行われ、第２排紙トレイ９１に用紙が排出される。
【００４８】
（電子ペーパ端末について）
本実施形態の複合機１００は、電子ペーパ端末との間で非接触通信（無線通信）を行う機能を有している。具体的に、複合機１００には、図５に示すように、電子ペーパ端末との間で非接触通信を行うリーダライタとして、第１通信装置１２３、第２通信装置１２４、第３通信装置１３３が設置されている。
【００４９】
なお、図２に示すように、第１通信装置１２３は、原稿トレイ２１に設置されており、第３通信装置１３３は、第１走査ユニット１１２に取り付けられている。また、図３に示すように、第２通信装置１２４は手差トレイ８２に設置されている。以下では、まず、本実施形態の電子ペーパ端末の構成について説明し、その後、第１通信装置１２３、第２通信装置１２４、第３通信装置１３３について説明する。
【００５０】
本実施形態の電子ペーパ端末Ｅ（画像表示媒体）は、画像表示用の液晶層を一対の樹脂フィルムで挟んだ電子ペーパを表示媒体とした携帯型端末装置である。電子ペーパ端末Ｅは、厚さ約３ｍｍ程度の平板形状になっている。
【００５１】
電子ペーパ端末Ｅは、図４に示すように、液晶表示部１０４と無線通信ユニット１０１と記憶部１０２と端末制御部１０３と操作部１０５とを有する。
【００５２】
液晶表示部１０４は、画像の書き換え時のみ電力を必要とし、電圧無印加でカラー画像を表示し続けるメモリ性を有するディスプレィであり、例えばカイラルネマティック液晶が用いられる。
【００５３】
記憶部１０２は、情報（データ）の記憶・消去を行える記憶領域である。なお、記憶部１０２に記憶される情報には、液晶表示部１０４に表示される画像の画像データ、当該画像データに関する情報、電子ペーパ端末Ｅの識別情報（ＩＤ）等が含まれる。
【００５４】
無線通信ユニット１０１は、コイルアンテナおよびＩＣチップを備えたＩＣタグである。無線通信ユニット１０１は、複合機１００に設置される第１通信装置１２３、第２通信装置１２４、第３通信装置１３３のいずれかの通信圏内に入った時に、通信圏内にある通信装置と無線接続するようになっている。これにより、複合機１００の制御部１５０（図５参照）と端末制御部１０３とは、通信装置１２３〜１２５および無線通信ユニット１０１を介した双方向通信が可能になる。
【００５５】
操作部１０５は、利用者からの入力を受け付けるユーザインターフェイスとして機能するものである。操作部１０５は、各種の入力キーであってもよいし、液晶表示部１０４に形成されたタッチパネルであってもよいし、タッチパネルとタッチペン等の組み合わせでもよい。勿論、入力キーとタッチパネルとを併用する構成であってもよい。
【００５６】
端末制御部１０３は、液晶表示部１０４、無線通信ユニット１０１、記憶部１０２を制御すると共に、これらと通信可能なコンピュータである。具体的に、端末制御部１０３は、ＯＳ（operating system）に従って液晶表示部１０４にＵＩ（user interface）を表示し、利用者から入力されるコマンドに従って、データ処理、データの送受信、記憶部１０２へのデータの書き込み、記憶部１０２からのデータの読み出し、記憶部１０２のデータの消去を行う。
【００５７】
また、記憶部１０２は、ＰＤＦファイル（例えば電子ブックや電子文書）やＴＩＦＦファイル（例えば写真）等の画像ファイルを記憶可能になっている。そして、利用者が、操作部１０５を用いて、記憶部１０２に記憶されている画像ファイルのうち所望の画像ファイルを選択し、さらに、選択された画像ファイルの中の所望ページを指定すると、端末制御部１０３は、利用者に指定されたページの画像を液晶表示部１０４に表示させるようになっている。なお、端末制御部１０３は、電子ペーパ端末Ｅに表示中の画像の画像データの格納位置を示すアドレスを記憶部１０２に書き込む。
【００５８】
なお、端末制御部１０３と複合機１００の制御部１５０とが双方向通信可能になると、複合機１００の制御部１５０は端末制御部１０３を介して記憶部１０２にアクセス可能になる。
【００５９】
（通信装置について）
つぎに、本実施形態の複合機１００に設置される第１通信装置１２３、第２通信装置１２４、第３通信装置１３３について説明する。
【００６０】
第１通信装置１２３は、無線通信ユニット１０１と非接触通信を行うためのリーダライタ（近接無線転送装置）であり、無線通信ユニット１０１との通信距離が１０ｃｍ程度になるものが使用される。
【００６１】
第１通信装置１２３は、図２に示すように、原稿トレイ２１において、原稿搬送方向の下流側端部であって主走査方向の中央部に設置されている。その一方、電子ペーパ端末Ｅにおいて先端エッジの中央部に無線通信ユニット１０１が取り付けられている。そして、電子ペーパ端末Ｅの先端エッジが原稿トレイ２１の原稿搬送方向の下流側端部に位置し、電子ペーパ端末Ｅの先端エッジの中央部が原稿トレイ２１の主走査方向の中央部に位置するように、電子ペーパ端末Ｅを原稿トレイ２１に載置した場合、電子ペーパ端末Ｅの無線通信ユニット１０１が第１通信装置１２３の通信圏内に入り、電子ペーパ端末Ｅと第１通信装置１２３とが無線接続するようになっている。
【００６２】
そして、第１通信装置１２３と電子ペーパ端末Ｅとが無線接続した場合、複合機１００の制御部１５０は、電子ペーパ端末Ｅの識別情報を電子ペーパ端末Ｅから読み出すようになっている。
【００６３】
つぎに、第２通信装置１２４について説明する。第２通信装置１２４は、図３に示すように、手差トレイ８２に設置されている。第２通信装置１２４は、第１通信装置１２３と同様、無線通信ユニット１０１と非接触通信を行うためのリーダライタ（近接無線転送装置）であり、無線通信ユニット１０１との通信距離が１０ｃｍ程度になるものが使用される。
【００６４】
第２通信装置１２４は、図３に示すように、手差トレイ８２において、用紙搬送方向の下流側端部であって主走査方向の中央部に設置されている。その一方、電子ペーパ端末Ｅにおいて先端エッジの中央部に無線通信ユニット１０１が取り付けられている。そして、電子ペーパ端末Ｅの先端エッジが手差トレイ８２の用紙搬送方向の下流側端部に位置し、電子ペーパ端末Ｅの先端エッジの中央部が手差トレイ８２の主走査方向の中央部に位置するように、電子ペーパ端末Ｅを手差トレイ８２に載置した場合、電子ペーパ端末Ｅの無線通信ユニット１０１が第２通信装置１２４の通信圏内に入り、電子ペーパ端末Ｅと第２通信装置１２４とが無線接続するようになっている。
【００６５】
つぎに、第３通信装置１３３について説明する。第３通信装置（通信部）１３３は、第１および第２通信装置１２３・１２４と同様、無線通信ユニット１０１と非接触通信を行うためのリーダライタ（近接無線転送装置）であり、無線通信ユニット１０１との通信距離が１０ｃｍ程度になるものが使用される。
【００６６】
図２および図６に示すように、第３通信装置１３３は、第１走査ユニット１１２に複数個設置される。また、原稿載置台９２のカバーである原稿自動搬送装置１２０を閉じた状態において（図２の状態）、原稿自動搬送装置１２０と原稿載置台９２との間のスペースのうち第１走査ユニット１１２と対面する全領域がいずれかの第３通信装置１３３の通信圏内に入るように、第３通信装置１３３の設置個数および設置場所が定められる。このように設計すれば、原稿載置台９２上のどの位置に電子ペーパ端末Ｅを載置したとしても、第１走査ユニット１１２を副走査方向に走査することによって電子ペーパ端末Ｅの無線通信ユニット１０１がいずれかの第３通信装置１３３の通信圏内に入ることになり、電子ペーパ端末Ｅと第３通信装置１３３とが無線接続するようになっている。
【００６７】
なお、図６の例では、第３通信装置１３３は３つであるが、上述のとおり、原稿自動搬送装置１２０と原稿載置台９２との間のスペースのうち第１走査ユニット１１２と対面する全領域がいずれかの第３通信装置１３３の通信圏内に入るようになっていれば、第３通信装置１３３の設置個数は、２つであってもよいし、４つであってもよいし、３つに限定されるものではない。
【００６８】
また、第１通信装置１２３、第２通信装置１２４、第３通信装置１３３、無線通信ユニット１０１からなる通信システムの通信方式としては、例えば、通信距離が１０ｃｍであって通信速度が１００〜４００ＫｂｐｓのＦｅｌｉＣａ（登録商標）の通信方式を利用できる。
【００６９】
（複合機の各ハードウェアについて）
つぎに、複合機１００に含まれる各ハードウェアについて図５を参照して説明する。図５に示すように、複合機１００は制御部１５０を有しており、制御部１５０は、第１通信装置１２３、第２通信装置１２４、第３通信装置１３３、原稿搬送部２００、光学読取部１９１、用紙搬送部１６０、転写部１７０、操作部１８０、表示部１９０、記憶装置１９５、メモリ１９６に接続されている。
【００７０】
第１通信装置１２３、第２通信装置１２４、第３通信装置１３３、光学読取部１９１については、既に説明済であるため、ここではその説明を省略する。
【００７１】
図５における原稿搬送部２００は、原稿自動搬送装置１２０の原稿搬送経路２３に原稿を送り込み且つ当該原稿を原稿搬送経路２３にて搬送するための各種ローラを指す。具体的には、ピックアップローラ２４、捌きローラ２５、レジストローラ対２７、搬送ローラ対２８、排紙ローラ対２９が原稿搬送部２００に相当する。
【００７２】
図５における用紙搬送部１６０は、画像形成装置１１０のシート搬送路Ｓに用紙を送り込み且つ当該用紙をシート搬送路Ｓにて搬送させるための各種ローラを指す。具体的には、搬送ローラ１２ａ〜１２ｄ、ピックアップローラ１１ａ，１１ｂ、レジストローラ１３が用紙搬送部１６０に相当する。
【００７３】
また、図５における転写部１７０は、シート搬送路Ｓにて搬送されている用紙へ画像を印刷するための各種装置を指す。具体的には、露光ユニット１、現像器２、感光体ドラム３、帯電器５、クリーナユニット４、定着ユニット７、転写ローラ１０、中間転写ベルト駆動ローラ６２、中間転写ローラ６４が転写部１７０に該当する。
【００７４】
図５の表示部１９０は、複合機１００の操作パネル（不図示）に形成されているディスプレィを指すものであり、複合機１００を操作するために必要な操作情報，設定画面，印刷画像のプレビュー等を表示するためのものである。また、前記のディスプレィにはタッチパネルが構成されている。
【００７５】
操作部１８０は、前記の操作パネルに形成されている各種入力キー、ジョブ開始を指示するためのスタートキー、および、前記タッチパネルを指すものであり、複合機１００に対する各種コマンドを利用者に入力させるためのものである。
【００７６】
記憶装置１９５は、複合機１００にて扱われる画像データや各種情報が保存されるハードディスク装置を指すものである。メモリ１９６は、プログラムや処理中の情報が記憶される記憶領域である。
【００７７】
制御部（判定部，読取制御部，表示制御部）１５０は、複合機１００を制御するためのコンピュータであり、接続されている各種ハードウェアを制御して複合機１００に各種処理を実行させるようになっている。つまり、制御部１５０は、原稿搬送部２００および光学読取部１９１に画像読取を実行させ、また、転写部１７０および用紙搬送部１６０に印刷処理を実行させる。
【００７８】
また、制御部１５０は、第１通信装置１２３を介して電子ペーパ端末Ｅにアクセスし、電子ペーパ端末Ｅに表示されている画像の画像データを読み出す処理を行う。また、制御部１５０は、第２通信装置１２４を介して電子ペーパ端末Ｅにアクセスし、電子ペーパ端末Ｅに対して画像データの記録処理を行う。
【００７９】
そして、制御部１５０は、電子ペーパ端末Ｅの表示画像の画像データの読出処理に第１通信装置１２３を用いるものの画像データの記録処理には用いず、第２通信装置１２４を画像データの記録処理に用いるものの画像データの読出処理には用いないように設定されている。したがって、原稿トレイ２１は、電子ペーパ端末Ｅの表示画像の画像データの読出処理に利用されるが、画像データの記録処理に利用されず、手差トレイ８２は、画像データの記録処理に利用されるが、画像データの読出処理に利用されない。
【００８０】
（画像データ読出処理について）
つぎに、電子ペーパ端末Ｅに表示されている画像の画像データを電子ペーパ端末Ｅから読み出す処理の流れについて詳細に説明する。図７は、第１通信装置１２３による画像データの読み出し処理の手順を示したフローチャートである。
【００８１】
まず、利用者が原稿トレイ２１に電子ペーパ端末Ｅを載置すると、制御部１５０は、原稿トレイ２１に電子ペーパ端末Ｅが載置されたことを検出する（Ｓ１にてＹＥＳ）。この点について以下具体的に説明する。原稿トレイ２１に電子ペーパ端末Ｅが載置されると、第１通信装置１２３と電子ペーパ端末Ｅとが無線接続し、第１通信装置１２３が電子ペーパ端末Ｅから電子ペーパ端末Ｅの識別情報を読み出すようになっている。そして、制御部１５０は、第１通信装置１２３によって電子ペーパ端末Ｅの識別情報が読み出された事を認識することで、原稿トレイ２１に電子ペーパ端末Ｅが載置された事を検出するようになっている。
【００８２】
制御部１５０は、原稿トレイ２１に電子ペーパ端末Ｅが載置されたことを検出すると（Ｓ１にてＹＥＳ）、「電子ペーパ読出」を示すメッセージを表示部１９０に表示し（Ｓ２）、且つスタートキーの押下を待機する（Ｓ３にてＮＯ）。上記メッセージの表示により、利用者は、スタートキーを押した場合に電子ペーパ端末Ｅからの画像データの読み出し処理が行われることを予知できる。
【００８３】
利用者がスタートキーを押すと、制御部１５０は、電子ペーパ端末Ｅの記憶部１０２にアクセスし、電子ペーパ端末Ｅに表示されている画像の画像データについて、画像データ読出処理を禁止する事を示す読出禁止情報が記憶部１０２に記録されているか否かを判定する（Ｓ４）。この点について以下詳細に説明する。
電子ペーパ端末Ｅから他の媒体への画像データの複写や、電子ペーパ端末Ｅの画像データの画像を用紙へ印刷する処理を２次複写と称す場合、不正な２次複写を禁止する必要のある画像データが電子ペーパ端末Ｅに記録される事がある。この場合、２次複写禁止の対象となる画像データについて、２次複写を目的とした画像データ読出処理を禁止する事を示す読出禁止情報を電子ペーパ端末Ｅに記録し、リーダライタを用いて電子ペーパ端末Ｅに読出禁止情報が記録されているか否かを判定し、読出禁止情報が記録されていると判定した場合に画像データの読み出しを禁止すれば、２次複写を禁止できる。そこで、本実施形態においても、不正な２次複写を禁止する必要のある画像データが電子ペーパ端末Ｅに記録される場合は、当該画像データについて、２次複写を目的とした画像データ読出処理を禁止する事を示す読出禁止情報を電子ペーパ端末Ｅに記録しておき、Ｓ４において読出禁止情報の有無を判定しているのである。
【００８４】
制御部１５０は、電子ペーパ端末Ｅに表示されている画像の画像データについての読出禁止情報が記録されていると判定した場合（Ｓ４にてＹＥＳ）、不正読出不可を示すエラーメッセージを表示部１９０に表示し（Ｓ５）、且つ、電子ペーパ端末Ｅからの画像データの読出処理を行わずに処理を終了する。ここで、利用者は、Ｓ５のエラーメッセージによって、電子ペーパ端末Ｅに表示されている画像の画像データがデータ読出禁止されているデータであることを認識できる。
【００８５】
また、制御部１５０は、Ｓ４において、電子ペーパ端末Ｅに表示されている画像の画像データについての読出禁止情報が記録されていないと判定した場合、電子ペーパ端末Ｅに表示されている画像に対応する画像データを記憶部１０２から読み出す（Ｓ６）。具体的に、制御部１５０は、電子ペーパ端末Ｅの記憶部１０２にアクセスし、電子ペーパ端末Ｅに表示中の画像の画像データの格納位置を示すアドレスを読み出し、このアドレスに基づいて画像データを読み出すようになっている。
【００８６】
そして、制御部１５０は、読み出した画像データを複合機１００の記憶装置１９５に書き込むようになっている。その後、制御部１５０は、画像データ読出処理を終了した事を示すメッセージを表示部１９０に表示して（Ｓ７）、処理を終了する。
【００８７】
以上示したように、本実施形態の画像データ読出処理によれば、複合機１００は、原稿トレイ２１に載置されている電子ペーパ端末Ｅに表示されている画像の画像データを非接触通信によって電子ペーパ端末Ｅから読み出すようになっている。それゆえ、利用者は、電子ペーパ端末Ｅに記憶されている画像データのうち、複合機１００への入力を所望する画像データがある場合、当該画像データの画像を電子ペーパ端末Ｅに表示させ、この電子ペーパ端末Ｅをスキャナ９０の原稿トレイ２１に載置すれば、当該画像データを複合機１００へ入力させることができる。
【００８８】
（画像データ記録処理について）
つぎに、画像データを電子ペーパ端末Ｅへ記録する処理の流れについて詳細に説明する。図８は、第２通信装置１２４による画像データの記録処理の手順を示したフローチャートである。
【００８９】
まず、利用者は、複合機１００の操作部１８０を操作して、複合機１００の記憶装置１９５に記憶されている画像データの中から、電子ペーパ端末Ｅへ記録する画像データを選択する。具体的に、利用者は、操作部１８０を操作することにより、複合機１００の記憶装置１９５に記憶されている画像データのリストを表示部１９０に表示させることができ、且つ、このリストの中から所望の画像データを選択できるようになっている。
【００９０】
電子ペーパ端末Ｅへ記録する画像データが選択された後、利用者が手差トレイ８２に電子ペーパ端末Ｅを載置すると、制御部１５０は、原稿トレイ２１に電子ペーパ端末Ｅが載置されたことを検出するようになっている（Ｓ１１にてＹＥＳ）。この点について以下具体的に説明する。手差トレイ８２に電子ペーパ端末Ｅが載置されると、第２通信装置１２４と電子ペーパ端末Ｅとが無線接続し、第２通信装置１２４が電子ペーパ端末Ｅから電子ペーパ端末Ｅの識別情報を読み出すようになっている。そして、制御部１５０は、第２通信装置１２４によって電子ペーパ端末Ｅの識別情報が読み出された事を認識することで、手差トレイ８２に電子ペーパ端末Ｅが載置された事を検出するようになっている。
【００９１】
制御部１５０は、手差トレイ８２に電子ペーパ端末Ｅが載置されたことを検出すると（Ｓ１１にてＹＥＳ）、「電子ペーパ記録」を示すメッセージを表示部１９０に表示し（Ｓ１２）、スタートキーの押下を待機する（Ｓ１３にてＮＯ）。上記メッセージの表示により、利用者は、スタートキーを押した場合に電子ペーパ端末Ｅへ画像データの記録が行われることを予知できる。
【００９２】
そして、利用者がスタートキーを押すと（Ｓ１３にてＹＥＳ）、制御部１５０は、利用者によって予め選択されている画像データを記憶装置１９５から読み出し、電子ペーパ端末Ｅの記憶部１０２に当該画像データを書き込むようになっている（Ｓ１４）。その後、制御部１５０は、画像データ記録処理を終了した事を示すメッセージを表示部１９０に表示して（Ｓ１５）、処理を終了する。
【００９３】
以上示したように、本実施形態の画像データ記録処理によれば、複合機１００は、当該複合機１００の記憶装置１９５に記憶されている画像データを、手差トレイ８２に載置されている電子ペーパ端末Ｅに非接触通信によって書き込めるようになっている。それゆえ、利用者は、電子ペーパ端末Ｅに記憶させたい画像データを予め複合機１００の記憶装置１９５に記憶させておけば（例えばＵＳＢメモリ等から入力する）、前記の画像データ記録処理を実行することによって前記画像データを電子ペーパ端末Ｅに記憶させることが可能になる。また、スキャナ９０にて生成された原稿の画像の画像データや、第１通信装置１２３にて電子ペーパ端末Ｅから読み出された画像データは、記憶装置１９５に記憶されるため、これら画像データを手差トレイ８２に載置されている電子ペーパ端末Ｅに記録することも可能である。
【００９４】
（静止原稿読取モードについて）
本実施形態では、電子ペーパ端末Ｅにおいて、２次複写禁止の対象となる画像データについて、２次複写を目的とした画像データ読出処理を禁止する事を示す読出禁止情報が記録されている。そして、電子ペーパ端末Ｅに表示されている画像に対応する画像データについて読出禁止情報が記録されている場合、複合機１００は、表示されている画像に対応する画像データを電子ペーパ端末Ｅから通信によって読み出すことができない（図７のＳ４にてＹＥＳ）。
【００９５】
しかし、電子ペーパ端末Ｅに表示されている画像に対応する画像データのデータ読出が禁止されていても、当該画像を表示させた状態の電子ペーパ端末Ｅを原稿載置台９２に載置し、静止原稿読取モードによって電子ペーパ端末Ｅに表示されている画像の光学的読み取りが仮に行われた場合、当該画像の画像データの２次複写が可能になってしまう。
【００９６】
そこで、本実施形態の静止原稿読取モードでは、原稿載置台９２に載置された電子ペーパ端末Ｅから読出禁止情報を制御部１５０が検出できるようにし、当該読出禁止情報を検出した場合は、利用者からのジョブ実行指示を受け付けた場合であっても光学読取部１９１による画像の読取（光学的読み取り）を禁止するようになっている（つまり、利用者からのジョブ実行指示が無効化される）。
【００９７】
以下、本実施形態の静止原稿読取モードについて説明する。図９は、本実施形態の静止原稿読取モードの処理の流れを示すフローチャートである。
【００９８】
まず、利用者が原稿載置台９２に原稿または電子ペーパ端末Ｅのいずれかを載置した場合、制御部１５０は、図示しない原稿センサからの信号によって、原稿載置台９２に載置物が載置されたことを検出するようになっている（Ｓ２１にてＹＥＳ）。
【００９９】
制御部１５０は、原稿載置台９２に載置物が載置されたことを検出した場合、第１走査ユニット１１２を副走査方向に移動（走査）させる（Ｓ２２）。具体的に、第１走査ユニット１１２は、原稿載置台９２における副走査方向の一端側から他端側に至るように副走査方向に沿って移動するようになっている。
【０１００】
ここで、原稿載置台９２に載置されている載置物が電子ペーパ端末Ｅである場合、第１走査ユニット１１２に取り付けられている第３通信装置１３３と電子ペーパ端末Ｅとが無線接続し、第３通信装置１３３が電子ペーパ端末Ｅから電子ペーパ端末Ｅの識別情報を読み出すようになっている。そして、制御部１５０は、第３通信装置１３３によって電子ペーパ端末Ｅの識別情報が読み出された事を認識すると、原稿載置台９２に電子ペーパ端末Ｅが載置されていると判断し（Ｓ２３にてＹＥＳ）、処理をＳ２４へ移行させる。
【０１０１】
これに対し、第１走査ユニット１１２の走査が終了しても第３通信装置１３３が電子ペーパ端末Ｅの識別情報を読み出さない場合、制御部１５０は、原稿載置台９２に原稿が載置されていると判断し（Ｓ２３にてＮＯ）、処理をＳ３０へ移行させる。そして、制御部１５０は、スタートキーが押されると（Ｓ３０にてＹＥＳ）、光学読取部１９１を制御して原稿載置台９２に載置されている原稿の画像を光学的に読み取り（Ｓ３１）、処理を終了する。
【０１０２】
また、制御部１５０は、原稿載置台９２に電子ペーパ端末Ｅが載置されていると判断した場合（Ｓ２３にてＹＥＳ）、電子ペーパ端末Ｅの記憶部１０２にアクセスし、電子ペーパ端末Ｅに表示されている画像の画像データについて読出禁止情報が記憶部１０２に記録されているか否かを判定する（Ｓ２４）。
【０１０３】
制御部１５０は、電子ペーパ端末Ｅに表示されている画像の画像データについて読出禁止情報が記録されていると判断した場合（Ｓ２４にてＹＥＳ）、不正読出不可を示すエラーメッセージを表示部１９０に表示させ（Ｓ２５）、且つ、光学読取部１９１による光学的読取を禁止する（Ｓ２６）。つまり、Ｓ２６が継続されている間、利用者がスタートボタンを押すことによって読取開始を指示したとしても、光学読取部１９１は動作せず、電子ペーパ端末Ｅの表示画像が光学読取部１９１にて読み取られることはない。
【０１０４】
そして、制御部１５０は、原稿載置台９２から載置物（電子ペーパ端末Ｅ）が除かれた事を検出するまではＳ２５およびＳ２６を継続し（Ｓ２７にてＮＯ）、原稿載置台９２から載置物（電子ペーパ端末Ｅ）が除かれた事を検出すると（Ｓ２７にてＹＥＳ）、Ｓ２５およびＳ２６を解除して処理を終了する。なお、制御部１５０は、図示しない原稿センサからの出力信号に基づいて原稿載置台９２から載置物（電子ペーパ端末Ｅ）が除かれたか否かを判断するようになっている。
【０１０５】
これに対し、制御部１５０は、電子ペーパ端末Ｅに表示されている画像の画像データについて読出禁止情報が記録されていないと判断した場合（Ｓ２４にてＮＯ）、処理をＳ３０へ移行させる。そして、制御部１５０は、スタートキーが押されると（Ｓ３０にてＹＥＳ）、光学読取部１９１を制御して原稿載置台９２に載置されている電子ペーパ端末Ｅの表示画像を光学的に読み取り（Ｓ３１）、処理を終了する。
【０１０６】
以上示した静止原稿読取モードにおいて、制御部１５０は、原稿載置台９２に電子ペーパ端末Ｅが載置された場合、第３通信装置１３３を介して当該電子ペーパ端末Ｅにアクセスし、当該電子ペーパ端末Ｅの表示画像の画像データについて、他の媒体（他の装置，端末）への複写を目的とした画像データ読出処理を禁止することを示す読出禁止情報が電子ペーパ端末Ｅに記憶されているか否かを判定するようになっている。そして、制御部１５０は、電子ペーパ端末Ｅの表示画像の画像データについて当該読出禁止情報が電子ペーパ端末Ｅに記憶されていると判定した場合、光学読取部１９１に光学的読取処理の実行を禁止している。
【０１０７】
これにより、２次複写を目的とした画像データ読出処理が禁止されている画像データの画像については、光学的読取処理の禁止設定の有無にかかわらず光学的読取処理も禁止されるので、不正な２次複写を抑制することが可能になる。
【０１０８】
また、本実施形態の複合機１００は、前記光学的読取処理において前記原稿の画像を走査するために副走査方向に移動する第１走査ユニット（移動部材）１１２を備え、原稿載置台９２に載置される電子ペーパ端末Ｅと通信する第３通信装置１３３は第１走査ユニット１１２に取り付けられている。これにより、第３通信装置１３３を移動させることが可能になるので、第３通信装置１３３として通信距離の短い装置を用いることが可能になる。
【０１０９】
さらに、本実施形態において、制御部１５０は、電子ペーパ端末Ｅに表示されている画像の画像データについての前記読出禁止情報が電子ペーパ端末Ｅに記憶されていると判定した場合、画像データ読出処理が禁止されていることを示すエラーメッセージを表示部１９０に表示させている。これにより、利用者は、複合機１００の故障ではなく、画像データ読出処理が禁止されていることを知ることができる。
【０１１０】
また、電子ペーパ端末Ｅに記憶される画像データは、勿論、複数頁からなる電子文書であってもよく、この場合、利用者は、電子ペーパ端末Ｅの操作部１０５を操作して頁毎に画像を表示させることが可能である。さらに、データ読出禁止を示す読出禁止情報は頁毎に設定される。
そして、複数頁からなる電子文書のうちの一部の頁のみを表示した電子ペーパ端末Ｅが原稿載置台９２に載置された場合、制御部１５０は、電子ペーパ端末Ｅに表示されている頁の画像の画像データについての読出禁止情報が電子ペーパ端末Ｅに記憶されているか否かを判定するようになっている。制御部１５０は、電子ペーパ端末Ｅに表示されている頁の画像の画像データについての読出禁止情報が電子ペーパ端末Ｅに記憶されていると判定した場合、光学読取部１９１にスキャン処理の実行を禁止することになる。つまり、数頁からなる電子文書の場合、データ読出禁止の設定がされている頁のみスキャン処理の実行も禁止され、データ読出禁止の設定がされていない頁についてはスキャン処理を実行できるのである。
【０１１１】
また、本実施形態の複合機１００は、（ａ）光学的読取処理と光学的読取処理にて生成された画像データの画像をシートに印刷する印刷処理とからなる複写モード、（ｂ）光学的読取処理と光学的読取処理にて生成された画像データを記憶または送信する処理とからなるスキャンモードのうちのいずれかのモードを選択して実行するようになっている。ここで、制御部１５０は、電子ペーパ端末Ｅの表示画像の画像データについてデータ読出禁止情報が電子ペーパ端末Ｅに記憶されていると判定した場合、前記複写モードに含まれる光学的読取処理および前記スキャンモードの光学的読取処理のいずれも禁止するようになっている。
【０１１２】
また、本願明細書の「複合機」は、印刷機能とスキャン機能とを備えているものを指し、所謂「複写機」も複合機に含まれる。さらに、本実施形態は、複合機１００と電子ペーパ端末Ｅとを有する情報処理システムと表現することもできる。
【０１１３】
なお、本実施形態では、複合機１００との間で通信（非接触通信）によって画像データを送受信する携帯型表示媒体として電子ペーパ端末Ｅを用いたが、当該携帯型表示媒体は、画像を表示するものであり当該画像の画像データを通信にて受信且つ送信可能になっている携帯可能な媒体であればよく、電子ペーパ端末Ｅに限定されるものではない。このような携帯型表示媒体としては、電子ペーパ端末Ｅの他、電子ブック端末、スマートフォン、携帯情報端末が挙げられる。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１５】
なお、制御部１５０および端末制御部１０３は、次のようにＣＰＵを用いてソフトウェアによって実現されてもよい。すなわち、制御部１５０および端末制御部１０３は、制御プログラムの命令を実行するＣＰＵ、上記制御プログラムを格納したＲＯＭ、上記制御プログラムを展開するＲＡＭ、上記制御プログラムおよび各種データを格納するメモリ等の記憶装置（コンピュータ読み取り可能な記録媒体）などを備えている。そして、上記制御プログラムのプログラムコード（実行形式プログラム、中間コードプログラム、ソースプログラム）をＣＰＵが読み出し実行することによって、制御部１５０および端末制御部１０３の機能が実現される。また、上記制御プログラムはＣＤ−Ｒ等のリムーバブル記録媒体に記録されており、当該リムーバブル記録媒体に記録されている制御プログラムをＣＰＵが実行するようになっていてもよい。
【産業上の利用可能性】
【０１１６】
本発明は、原稿の画像を光学的に読み取ることの可能な複合機および画像読取装置に適用可能である。
【符号の説明】
【０１１７】
９０    スキャナ
９２    原稿載置台
１００    複合機（画像読取装置）
１１２    第１走査ユニット（移動部材）
１２３    第１通信装置
１２４    第２通信装置
１３３    第３通信装置（通信部）
１５０    制御部（判定部、読取制御部、表示制御部）
１９０    表示部
１９１    光学読取部
Ｅ    電子ペーパ端末
【図１】
2012147096.tif 000003
【図２】
2012147096.tif 000004
【図３】
2012147096.tif 000005
【図４】
2012147096.tif 000006
【図５】
2012147096.tif 000007
【図６】
2012147096.tif 000008
【図７】
2012147096.tif 000009
【図８】
2012147096.tif 000010
【図９】
2012147096.tif 000011